(57)【要約】【課題】イヤホンのコ−ドや耳栓のコードであっても、これらのコードをテンプルに保持しておくことができ、しかもこれらのコードを静止した安定な状態でテンプルに保持しておくことができ、さらにイヤホンのコ−ドや耳栓のコード、眼鏡吊り紐等のコード類に従来のような係着部材に相当するものが設けられていなくても、これらのコード類をテンプルに保持しておくことができる眼鏡を提供する。【解決手段】テンプル１に引っ掛け部２を形成し、コード類Ｃを前記引っ掛け部２に引っ掛け、前記テンプル１に移動可能として装着した弾性環状ホルダー３によって前記引っ掛け部２を被包できるようにしている。【選択図】図５
2014215372.tif 000002
【特許請求の範囲】
【請求項１】
テンプル（１）に引っ掛け部（２）を形成し、コード類（Ｃ）を前記引っ掛け部（２）に引っ掛け、前記テンプル（１）に移動可能として装着した弾性環状ホルダー（３）によって前記引っ掛け部（２）を被包できるようにしたことを特徴とする眼鏡。
【請求項２】
前記引っ掛け部（２）は、テンプル（１）の一部を細くした細径部（１ａ）に形成したことを特徴とする請求項１記載の眼鏡。
【請求項３】
前記テンプル（１）と細径部（１ａ）の前後の境目に段差（４ａ、４ｂ）を形成し、前記段差（４ａ、４ｂ）の一方または両方にスロープ面を形成したことを特徴とする請求項２記載の眼鏡。
【請求項４】
前記引っ掛け部（２）は、テンプル（１）の上方から屈曲部（２ａ）を有した形状に切り欠いたものとしたことを特徴とする請求項１〜３の何れかに記載の眼鏡。
【請求項５】
前記引っ掛け部（２）の後方または前方のテンプル（１）には、前記段差（４ａ）または段差（４ｂ）を横切るようにしてコード類（Ｃ）の案内用の窪み部（５）を形成したことを特徴とする請求項３記載の眼鏡。
【請求項６】
前記弾性環状ホルダー（３）は、Ａ１０°〜９０°の硬度を有するものとしたことを特徴とする請求項１〜５の何れかに記載の眼鏡。
【発明の詳細な説明】
【技術分野】
【０００１】
この発明は、イヤホンのコ−ドや耳栓のコード、眼鏡吊り紐等のコード類を保持しておくためのホルダーを備えた眼鏡に関するものである。
【背景技術】
【０００２】
従来、着用した眼鏡を度々、外したり、再度着用する場合に、その眼鏡を常に手近においておきたい場合がある。また、眼鏡の着用時において、音楽を聞いたり、語学学習のためのリスニングをするときにイヤホンを使用したり、騒音の激しい工事現場や作業環境で、その騒音を防止するために耳栓を使用したりする場合がある。このような場合に適した眼鏡としては、例えば以下のようなものが存在する。
【０００３】
従来のこのような眼鏡としては、構造が簡単なものとして、眼鏡吊り紐等のコード類を直に通して止着するようにした孔を、眼鏡フレームの耳掛け部分（テンプルの後端部）に設けたもの（特許文献１）や、眼鏡吊り紐等のコード類を装着するための丸環を取り付けるための孔をテンプルの前端寄りに設けたもの（特許文献２）や、イヤホンのコ−ド等の受具をつる（テンプル）の所定部位に着脱自在に装着したもの（特許文献３）が存在する。そして、前記受具は、細帯状のプラスチック板や金属線材を略Ｃ字形状や略Ｓ字形状等に屈曲させたものとし、その屈曲部にイヤホンのコ−ドを吊り下げるようにしている。
【０００４】
さらに、従来のこのような眼鏡としては、図１１、１２に示したように、フレームサイド（テンプル）１１に一個または複数個の係止部１２を設け、その係止部１２に着脱自在に係止し得る係着部材１３を有した首回り索条１４を取り付け取り外し可能に設けたものが存在する（特許文献４）。そして、前記係止部１２は、フレームサイド１１そのものに形成された切欠き部１５としており、その切欠き部１５は、上面から半円形状に凹設して設けられており、切り欠き幅１６は首回り索条１４の小ループ１７の線径よりやや広く、深さは小ループ１７の線径よりやや深い切り欠き深さ形状にしている。
【先行技術文献】
【特許文献】
【０００５】
【特許文献１】特開２００３ー１３１１７３号公報
【特許文献２】実用新案登録第３１３４８７２号公報
【特許文献１】実用新案登録第３００５５９９号公報
【特許文献２】実用新案登録第３０５８１９２号公報
【発明の概要】
【発明が解決しようとする課題】
【０００６】
しかしながら、上記特許文献１に示されたような眼鏡では、テンプルの後端部に設けられた孔は小径であるため、眼鏡吊り紐を通して止着することはできても、コードに取り付けたイヤホンや耳栓が通らないので、これらのコードを通して止着しておくことができないという問題点を有していた。
【０００７】
さらに、上記特許文献２に示されたような眼鏡では、イヤホンのコ−ドや耳栓のコードを装着するための丸環を備えていなければ、これらのコードを止着しておくことができず、またこれらのコードを丸環に止着しても、この丸環がテンプルに設けた孔に静止した状態で取り付けられていないため、コードが装着し難くかったり、その装着したコードが揺れ動くなど不安定な状態になるという問題点を有していた。
【０００８】
また、上記特許文献３に示されたような眼鏡でも、特許文献２に示されたような眼鏡のように、略Ｃ字形状や略Ｓ字形状等に屈曲させた受具にコードを止着しても、この受具がテンプルに静止した状態で装着されていないため、コードの取り付け位置がずれたり、コードが揺れ動くなど不安定な状態になり、さらに略Ｃ字形状や略Ｓ字形状等に屈曲させた受具は、その受部が開いているため、止着したコードが外れ易いという問題点を有していた。
【０００９】
さらにまた、上記特許文献４に示されたような眼鏡では、通常、係着部材１３に相当するものがイヤホンのコ−ドや耳栓のコードに設けられていないため、これらのコードに係着部材１３に相当するものをあらかじめ設けておかなければならず、また係止部１２は半円形状に凹設した切欠き部１５としているため、この切欠き部１５に係着部材１３を係着したとしても、係着部材１３がその切欠き部１５から移動して外れてしまい易いという問題点を有していた。
【００１０】
さらに、従来、眼鏡吊り紐とイヤホンや耳栓を併用する場合には、これらのコード類が首回りにあり、コード類どうしが絡まる等の煩わしさがあるという問題点を有していた。
【００１１】
そこで、この発明は、イヤホンのコ−ドや耳栓のコードであっても、これらのコードをテンプルに保持しておくことができ、しかもこれらのコードを静止した安定な状態でテンプルに保持しておくことができ、さらにイヤホンのコ−ドや耳栓のコード、眼鏡吊り紐等のコード類に従来のような係着部材に相当するものが設けられていなくても、これらのコード類をテンプルに保持しておくことができ、またテンプルに保持したイヤホンのコ−ドや耳栓のコードを眼鏡吊り紐代わりとして使用することもできる眼鏡を提供することを目的としてなされたものである。
【課題を解決するための手段】
【００１２】
この発明の眼鏡は、テンプル１に引っ掛け部２を形成し、コード類Ｃを前記引っ掛け部２に引っ掛け、前記テンプル１に移動可能として装着した弾性環状ホルダー３によって前記引っ掛け部２を被包できるようにしている。
【００１３】
この発明の眼鏡において、前記引っ掛け部２は、テンプル１の一部を細くした細径部１ａに形成したものとしている。
【００１４】
この発明の眼鏡において、前記テンプル１と細径部１ａの前後の境目に段差４ａ、４ｂを形成し、前記段差４ａ、４ｂの一方または両方にスロープ面を形成したものとしている。
【００１５】
この発明の眼鏡において、前記引っ掛け部２は、テンプル１の上方から屈曲部２ａを有した形状に切り欠いたものとしている。
【００１６】
この発明の眼鏡において、前記引っ掛け部２の後方または前方のテンプル１には、前記段差４ａまたは段差４ｂを横切るようにしてコード類Ｃの案内用の窪み部５を形成したものとしている。
【００１７】
この発明の眼鏡において、前記弾性環状ホルダー３は、Ａ１０°〜９０°の硬度を有するものとしている。
【発明の効果】
【００１８】
この発明の眼鏡は、以上に述べたように構成されているので、眼鏡吊り紐だけでなく、イヤホンのコ−ドや耳栓のコードであっても、テンプルに保持しておくことができ、これらのコードに限らず各種のコード類を保持しておくことができるものとなり、非常に便利なものとなった。
【００１９】
しかも、この発明の眼鏡は、イヤホンのコ−ドや耳栓のコード、眼鏡吊り紐等のコード類を静止した安定な状態でテンプルに保持しておくことができ、コードの引っ掛け位置がずれたり、コードが揺れ動くなど不安定な状態になるということもなくなり、非常に使い勝手のよいものとなった。
【００２０】
さらに、この発明の眼鏡は、イヤホンのコ−ドや耳栓のコード、眼鏡吊り紐等のコード類に従来のような係着部材に相当するものが設けられていなくても、これらのコード類をテンプルに保持しておくことができるので、非常に簡便なものとなった。
【００２１】
また、この発明の眼鏡は、テンプルに保持したイヤホンのコ−ドや耳栓のコードを眼鏡吊り紐代わりとして使用することもできるので、従来、眼鏡吊り紐とイヤホンや耳栓を併用する場合のコード類どうしが絡まる等の煩わしさが解消され、非常に使い勝手のよいものとなった。
【図面の簡単な説明】
【００２２】
【図１】この発明の眼鏡の一実施形態を示す斜視図である。
【図２】この発明の眼鏡のテンプルの後端部の拡大図である。
【図３】この発明の眼鏡のテンプルに装着した弾性環状ホルダーを外した状態の説明図である。
【図４】この発明の眼鏡のテンプルに装着した弾性環状ホルダーを移動させた状態の説明図である。
【図５】この発明の眼鏡のテンプルに装着した弾性環状ホルダーでコード類を保持した状態の説明図である。
【図６】この発明の眼鏡のテンプルから外した状態の弾性環状ホルダーの斜視図である。
【図７】この発明の眼鏡の他の実施形態のテンプルの後端部の拡大図である。
【図８】図７に示すこの発明の眼鏡のテンプルの後端部にコード類を保持した状態の説明図である。
【図９】この発明の眼鏡を着用した状態を示す説明図である。
【図１０】この発明の眼鏡を外した状態を示す説明図である。
【図１１】従来の眼鏡のテンプルの一部省略側面図である。
【図１２】図１１に示す従来の眼鏡のテンプルに首回り索条を取り付けた状態の説明図である。
【発明を実施するための形態】
【００２３】
以下、この発明の眼鏡を実施するための形態について、図面に基づき詳細に説明する。
【００２４】
図１〜５はこの発明の眼鏡の一実施形態を示しており、図７、８はこの発明の眼鏡の他の実施形態を示している。これらの図に示したように、この発明の眼鏡は、テンプル１に引っ掛け部２を形成し、イヤホンのコ−ドや耳栓のコード、眼鏡吊り紐等のコード類Ｃを前記引っ掛け部２に引っ掛け、前記テンプル１に移動可能として装着した弾性環状ホルダー３によって前記引っ掛け部２を被包できるようにしている。
【００２５】
前記テンプル１は、引っ掛け部２を形成することができるものであれば、その材質も形状も特に問わないが、合成樹脂で略直線形状に形成したものとするのが、引っ掛け部２を形成し易くなり加工面でも好ましいものとなるが、合成樹脂の他、鼈甲、木材等の天然素材、場合によっては金属等とすることもでき、また形状も後端部を着用者の耳の付け根の外周形状に合わせて湾曲させたもの等とすることもでき、一般の眼鏡のテンプルとして許容される形状であればよい。
【００２６】
前記引っ掛け部２は、眼鏡吊り紐を引っ掛ける場合には、テンプル１の後端部に形成したものとするのが、その吊り紐で吊った眼鏡の吊り具合が安定するので好ましいが、イヤホンのコ−ドや耳栓のコードを引っ掛ける場合には、テンプル１の前端部、後端部に限らず何処に形成されていてもよい。
【００２７】
前記引っ掛け部２は、テンプル１の一部を細くした細径部１ａに形成したものとしている。この細径部１ａの横幅Ｗ１ は、５〜１５ｍｍ程度としており、後に述べる弾性環状ホルダー３の横幅Ｗ２ と略同一か長く形成しており、この弾性環状ホルダー３が細径部１ａに収まるようにしている。また、前記テンプル１と細径部１ａの前後の境目には、１〜２ｍｍ程度の段差４ａ、４ｂを形成しており、これら段差４ａ、４ｂは、弾性環状ホルダー３の肉厚ｔと略同一寸法とするのが、弾性環状ホルダー３によって引っ掛け部２を被包した場合に、弾性環状ホルダー３の表面がテンプル１の表面と略面一となって、弾性環状ホルダー３がテンプル１から出っ張らないので好ましい。なお、前記段差４ａ、４ｂの一方または両方（図示したものは段差４ａのみ）には、スロープ面を形成したものとしており、弾性環状ホルダー３がその段差４ａを乗り越えて移動させ易くしている。
【００２８】
前記引っ掛け部２は、図１〜５に示したように、テンプル１の上方から略「し」の字、略「く」の字、略「Ｌ」の字などの屈曲部２ａを有した形状に切り欠いたものとして、コード類Ｃを引っ掛け易くしており、また開口幅Ｗ３ を１. ５〜２. ５ｍｍ程度として、その開口をコード類Ｃが通過し易くしている。なお、前記屈曲部２ａは、テンプル１の前方から後方に向かって屈曲させたものとしているが、テンプル１の後方から前方に向かって屈曲させたものとしてもよい。また、前記引っ掛け部２は、図７、８に示したように、テンプル１の上面の開口が狭く、中が広がった形状、例えば「しずく」のような形状に切り欠いたものとしており、図１〜５に示したものと同様にコード類Ｃを引っ掛け易くしている。
【００２９】
前記引っ掛け部２の後方のテンプル１には、段差４ｂを横切るようにしてコード類Ｃの案内用の窪み部５を形成したものとしており、引っ掛け部２に引っ掛けたコード類Ｃをこの窪み部５に沿わせて引き出すことにより、弾性環状ホルダー３に被包されて押し付けられたコード類Ｃが、段差４ｂの角に強く当たって傷つかないようにしている。なお、前記窪み５は、テンプル１の表面から段差４ｂに向かうにつれて徐々に深くなるように形成しており、最も深い個所では、テンプル１の表面から１〜２ｍｍ程度としている。また、前記窪み部５は、図示したものでは、引っ掛け部２の後方のテンプル１に段差４ｂを横切るようにして形成したが、引っ掛け部２の前方のテンプル１に段差４ａを横切るようにして形成してもよい。
【００３０】
前記弾性環状ホルダー３は、前記テンプル１の後端から差し込み、このテンプル１の細径部１ａまで移動させることにより、この細径部１ａに嵌め込むようにしている。
【００３１】
前記弾性環状ホルダー３は、シリコンゴム、合成ゴム、塩化ビニル樹脂、ウレタン樹脂、熱可塑性エラストマーなどの材質からなり、Ａ１０°〜９０°の硬度を有するものとしており、その中でも、Ａ３０°〜８０°とするのが好ましく、この範囲であれば、移動させ易くなり、テンプル１の細径部１ａにも嵌め込み易くなり、しかも細径部１ａに嵌め込んだ後はこの細径部１ａから外れ難くなる。
【００３２】
以上のように構成したこの発明の眼鏡は、イヤホンのコ−ドや耳栓のコード、眼鏡吊り紐等のコード類Ｃを保持しない場合には、図２に示したように、これらのコード類Ｃを引っ掛け部２に引っ掛けないで、弾性環状ホルダー３をテンプル１の細径部１ａに嵌め込んでおく。
【００３３】
次に、この発明の眼鏡は、イヤホンのコ−ドや耳栓のコード、眼鏡吊り紐等のコード類Ｃを保持する場合には、弾性環状ホルダー３を、図２に示した状態から図４に示したように、テンプル１の前方向に移動させて、その弾性環状ホルダー３の前端部が、段差４ａを乗り上げるようにした状態にして、引っ掛け部２の開口を露出させる（他の実施形態では図７に示す）。
【００３４】
そして、前記引っ掛け部２の開口から前記コード類Ｃの先端部を差し込んで、この引っ掛け部２にコード類Ｃの先端部を引っ掛け、図５に示したように、前記弾性環状ホルダー３を、テンプル１の後方向に移動させて、引っ掛け部２の開口を塞ぐようにして、この引っ掛け部２を被包する。このとき、前記コード類Ｃは、同図に示したように、窪み部５に沿わせて引き出すようにする（他の実施形態では図８に示す）。このようにすると、前記コード類Ｃは、その引っ掛け部２から移動しなくなり、その引っ掛け部２で揺れ動かず、静止した安定な状態で保持される。
【００３５】
このようにして、イヤホンのコ−ドや耳栓のコードを保持したこの発明の眼鏡は、図９に示したように、その着用時に前記コード類Ｃの先端のイヤホンや耳栓を、その着用者の耳に差し込むことができるので、音楽を聞いたり、語学学習のためのリスニングをすることができ、また騒音の激しい工事現場や作業環境で、その騒音を防止することができる。
【００３６】
さらに、イヤホンのコ−ドや耳栓のコードを保持したこの発明の眼鏡は、図１０に示したように、イヤホンや耳栓を使用しないときは、そのコードを眼鏡吊り紐のようにして、首に引っ掛けて、眼鏡を吊り下げておくこともできる。
【００３７】
また、眼鏡吊り紐を保持したこの発明の眼鏡は、図示していないが、眼鏡を外したときに、その吊り紐を首に引っ掛けて、眼鏡を吊り下げておくことができ、その眼鏡を常に手近においておくことができる。
【００３８】
以上に述べたように構成したこの発明の眼鏡は、眼鏡吊り紐だけでなく、イヤホンのコ−ドや耳栓のコードであっても、これらのコードをテンプルに保持しておくことができ、これらのコードに限らず、各種のコード類を保持しておくことができるものなった。
【００３９】
しかも、この発明の眼鏡は、イヤホンのコ−ドや耳栓のコード、眼鏡吊り紐等のコード類の引っ掛け位置がずれたり、揺れ動くなど不安定な状態ではなく、これらのコード類を静止した安定な状態でテンプルに保持しておくことができものとなった。
【００４０】
さらに、この発明の眼鏡は、イヤホンのコ−ドや耳栓のコード、眼鏡吊り紐等のコード類に従来のような係着部材に相当するものが設けられていなくても、これらのコード類をテンプルに保持しておくことができるものとなった。
【００４１】
また、この発明の眼鏡は、テンプルに保持したイヤホンのコ−ドや耳栓のコードを眼鏡吊り紐代わりとして使用することもできるものとなった。
【符号の説明】
【００４２】
１  テンプル
１ａ  細径部
２  引っ掛け部
２ａ  屈曲部
３  弾性環状ホルダー
４ａ  段差
４ｂ  段差
５  窪み部
Ｃ  コード類
【図１】
2014215372.tif 000003
【図２】
2014215372.tif 000004
【図３】
2014215372.tif 000005
【図４】
2014215372.tif 000006
【図５】
2014215372.tif 000007
【図６】
2014215372.tif 000008
【図７】
2014215372.tif 000009
【図８】
2014215372.tif 000010
【図９】
2014215372.tif 000011
【図１０】
2014215372.tif 000012
【図１１】
2014215372.tif 000013
【図１２】
2014215372.tif 000014